(57)【特許請求の範囲】
【請求項１】
携帯端末が送信するパケットデータを、携帯電話事業者網を介さずに直接インタネット網へ転送するパケットデータのオフロード機能を有するフェムトセルアクセスポイントであって、
自機器を制御、管理するアクセスポイント管理サーバから指示されるオフロード制御閾値を基に前記オフロード機能によるオフロードの可否を制御する手段を有することを特徴とするフェムトセルアクセスポイント。
【請求項２】
前記アクセスポイント管理サーバから指示される前記携帯端末毎のオフロード可否パラメタを基に前記オフロード機能を制御する手段を含むことを特徴とする請求項１記載のフェムトセルアクセスポイント。
【請求項３】
前記オフロード機能によるオフロードの実施時に前記アクセスポイント管理サーバへイベント発生を通知する手段を含むことを特徴とする請求項１または請求項２記載のフェムトセルアクセスポイント。
【請求項４】
前記アクセスポイント管理サーバから管理プロトコルによって指示されたオフロード制御閾値及び前記携帯端末毎のオフロード可否の指定に従って、通信経路の選択を実施することを特徴とする請求項１から請求項３のいずれか記載のフェムトセルアクセスポイント。
【請求項５】
請求項１から請求項４のいずれかに記載のフェムトセルアクセスポイントを含むことを特徴とするフェムトセル通信ネットワークシステム。
【請求項６】
携帯端末が送信するパケットデータを、携帯電話事業者網を介さずに直接インタネット網へ転送するパケットデータのオフロード機能を有するフェムトセルアクセスポイントに用いるパケットデータオフロード機能制御方法であって、
前記フェムトセルアクセスポイントが、前記フェムトセルアクセスポイントを制御、管理するアクセスポイント管理サーバから指示されるオフロード制御閾値を基に前記オフロード機能によるオフロードの可否を制御する処理を実行することを特徴とするパケットデータオフロード機能制御方法。
【請求項７】
前記フェムトセルアクセスポイントが、前記アクセスポイント管理サーバから指示される前記携帯端末毎のオフロード可否パラメタを基に前記オフロード機能を制御する処理を実行することを特徴とする請求項６記載のパケットデータオフロード機能制御方法。
【請求項８】
前記フェムトセルアクセスポイントが、前記オフロード機能によるオフロードの実施時に前記アクセスポイント管理サーバへイベント発生を通知する処理を実行することを特徴とする請求項６または請求項７記載のパケットデータオフロード機能制御方法。
【請求項９】
前記フェムトセルアクセスポイントが、前記アクセスポイント管理サーバから管理プロトコルによって指示されたオフロード制御閾値及び前記携帯端末毎のオフロード可否の指定に従って、通信経路の選択を実施することを特徴とする請求項６から請求項８のいずれか記載のパケットデータオフロード機能制御方法。
【発明の詳細な説明】
【技術分野】
【０００１】
本発明はフェムトセルアクセスポイント、フェムトセル通信ネットワークシステム及びそれらに用いるパケットデータオフロード機能制御方法に関し、特にフェムトセルアクセスポイントによるパケットデータトラフィックオフロード機能に関する。
【背景技術】
【０００２】
近年、無線通信システムにおいて使用される基地局として、カバーエリア（セル半径）が数十メートル程度とされる極めて小規模な基地局が提案されている（例えば、特許文献１参照）。このような小規模な基地局によって形成されるセルは、フェムトセルと呼ばれており、当該基地局はフェムトセルアクセスポイントと呼ばれている。
【０００３】
フェムトセルアクセスポイントは、ＡＤＳＬ（Ａｓｙｍｍｅｔｒｉｃ  Ｄｉｇｉｔａｌ  Ｓｕｂｓｃｒｉｂｅｒ  Ｌｉｎｅ）、光ファイバ、同軸ケーブル等の有線通信回線に接続され、この有線通信回線を介して携帯電話の通信サービスを提供する。
【０００４】
宅内装置であるフェムトセルアクセスポイントにおいては、それを経由してパケットデータ通信を行おうとする携帯電話機が送信するパケットデータを、携帯電話事業者網を介さずに直接インタネット網へ転送するパケットデータトラフィックオフロード機能を備えるものもある。
【先行技術文献】
【特許文献】
【０００５】
【特許文献１】特開２００７−２６７４２４号公報
【発明の概要】
【発明が解決しようとする課題】
【０００６】
上述したパケットデータトラフィックオフロード機能によるパケットデータのオフロード可否判断については、事前に定められた固定基準しか利用できず、パケットデータトラフィックを柔軟に制御する仕組みが存在しない。
【０００７】
上述した本発明に関連するフェムトセルアクセスポイントによるパケットデータトラフィックオフロード機能には、フェムトセルアクセスポイントがアクセスポイント管理サーバからオフロード機能の可否を判断するためのパラメタを指定される機構を持たないため、オフロード機能の可否を制御できないという課題がある。
【０００８】
そこで、本発明の目的は上記の問題点を解消し、通信オペレータがフェムトセルアクセスポイントのオフロード機能を柔軟に制御することができるフェムトセルアクセスポイント、フェムトセル通信ネットワークシステム及びそれらに用いるパケットデータオフロード機能制御方法を提供することにある。
【課題を解決するための手段】
【０００９】
本発明によるフェムトセルアクセスポイントは、携帯端末が送信するパケットデータを、携帯電話事業者網を介さずに直接インタネット網へ転送するパケットデータのオフロード機能を有するフェムトセルアクセスポイントであって、
自機器を制御、管理するアクセスポイント管理サーバから指示されるオフロード制御閾値を基に前記オフロード機能によるオフロードの可否を制御する手段を備えている。
【００１０】
本発明によるフェムトセル通信ネットワークシステムは、上記のフェムトセルアクセスポイントを含むことを特徴とする。
【００１１】
本発明によるパケットデータオフロード機能制御方法は、携帯端末が送信するパケットデータを、携帯電話事業者網を介さずに直接インタネット網へ転送するパケットデータのオフロード機能を有するフェムトセルアクセスポイントに用いるパケットデータオフロード機能制御方法であって、
前記フェムトセルアクセスポイントが、前記フェムトセルアクセスポイントを制御、管理するアクセスポイント管理サーバから指示されるオフロード制御閾値を基に前記オフロード機能によるオフロードの可否を制御する処理を実行している。
【発明の効果】
【００１２】
本発明は、上記のような構成及び動作とすることで、通信オペレータがフェムトセルアクセスポイントのオフロード機能を柔軟に制御することができるという効果が得られる。
【図面の簡単な説明】
【００１３】
【図１】本発明によるフェムトセル通信ネットワークシステムの構成例を示すブロック図である。
【図２】本発明の実施の形態によるフェムトセルアクセスポイント内のオフロードマネージャの構成例を示すブロック図である。
【図３】本発明の実施の形態によるフェムトセルアクセスポイント内の管理プロトコルエージェントの構成例を示すブロック図である。
【図４】本発明の実施の形態によるフェムトセル通信ネットワークシステムの動作例を示すシーケンスチャートである。
【図５】本発明の実施の形態によるフェムトセル通信ネットワークシステムの動作例を示すシーケンスチャートである。
【図６】本発明の実施の形態によるフェムトセルアクセスポイント内のデータベース部の構成例を示す図である。
【発明を実施するための形態】
【００１４】
次に、本発明の実施の形態について図面を参照して説明する。まず、本発明によるフェムトセル通信ネットワークシステムの概要について説明する。本発明は、フェムトセル通信ネットワークシステムにおいて、フェムトセルアクセスポイントでオフロードさせるパケットデータトラフィックを通信オペレータが柔軟に制御できるようにしたことを特徴としている。
【００１５】
図１は本発明によるフェムトセル通信ネットワークシステムの構成例を示すブロック図である。図１において、まず一般的なフェムトセル通信方式として、携帯端末１は、無線インタフェース１０１を通してフェムトセルアクセスポイント２と通信することで、暗号化通信路１０３を終端するセキュリティゲートウェイ３及びフェムトセルゲートウェイ５を経由してＣＮ（Ｃｏｒｅ  Ｎｅｔｗｏｒｋ）６のノード（図示せず）とのパケット通信を実現する。
【００１６】
図１において、フェムトセルアクセスポイント２を制御、管理するアクセスポイント管理サーバ４は、内存する管理プロトコルマネージャ４１と管理対象のフェムトセルアクセスポイント２の管理プロトコルエージェント２１との間で通信することで、データベース部２２に保存されている現在のフェムトセルアクセスポイント２のトラフィック統計量、通信中携帯端末情報を収集する。
【００１７】
また同様に、アクセスポイント管理サーバ４は、フェムトセルアクセスポイント２のオフロード制御閾値の指定、及びアクセスポイントに接続する携帯端末毎のオフロード可否を指定し、フェムトセルアクセスポイント２のデータベース部２２に保持させる。
【００１８】
携帯端末１からのパケット通信要求を受けたフェムトセルアクセスポイント２は、オフロードマネージャ２３により、データベース部２２に記録されている対象携帯端末のオフロード可否や現在のトラフィック統計量、及びオフロード制御閾値を元にし、一般的なフェムトセル通信方式である暗号化通信路１０３、ＣＮ６を経由する経路か、あるいはインタネット網１００上のｗｅｂサーバ７と直接通信を行うオフロードされた経路かの選択がなされる。
【００１９】
このように、本発明では、アクセスポイント管理サーバ４がフェムトセルアクセスポイント２のパケットデータトラフィックを把握する機能を有し、またフェムトセルアクセスポイント２がアクセスポイント管理サーバ４の指定に応じてオフロード可否を判断する機能を有しているため、通信オペレータがフェムトセルアクセスポイント２毎あるいは携帯端末１毎のオフロード機能を柔軟に制御することができる。
【００２０】
上記のように、本発明では、フェムトセルアクセスポイント２が、アクセスポイント管理サーバ４から管理プロトコルによって指示されたオフロード制御閾値及び携帯端末１毎のオフロード可否の指定に従って、通信経路の選択を実施する。
【００２１】
次に、本発明の実施の形態によるフェムトセル通信ネットワークシステムについて説明する。本発明の実施の形態によるフェムトセル通信ネットワークシステムは、図１に示す本発明によるフェムトセル通信ネットワークシステムと同様の構成となっている。
【００２２】
すなわち、本発明の実施の形態によるフェムトセル通信ネットワークシステムは、携帯端末１と、フェムトセルアクセスポイント２と、セキュリティゲートウェイ３と、アクセスポイント管理サーバ４と、フェムトセルゲートウェイ５と、ＣＮ（Ｃｏｒｅ  Ｎｅｔｗｏｒｋ）６と、ｗｅｂサーバ７とから構成されている。
【００２３】
携帯端末１は、電波による無線通信インタフェース１０１によって、フェムトセルアクセスポイント２と通信を行う。
【００２４】
フェムトセルアクセスポイント２は、アクセスポイント管理サーバ４との間でＣＷＭＰ［ＣＰＥ（Ｃｕｓｔｏｍｅｒ  Ｐｒｅｍｉｓｅｓ  Ｅｑｕｉｐｍｅｎｔ）  ＷＡＮ（Ｗｉｄｅ  Ａｒｅａ  Ｎｅｔｗｏｒｋ）  Ｍａｎａｇｅｍｅｎｔ  Ｐｒｏｔｏｃｏｌ］の実装であるＴＲ−０６９（Ｔｅｃｈｎｉｃａｌ  Ｒｅｐｏｒｔ  ０６９）プロトコルを終端する管理プロトコルエージェント２１と、フェムトセルアクセスポイント２内のデータを保持するデータベース部２２と、パケットデータトラフィックオフロードの振る舞いを制御するオフロードマネージャ２３と、パケットデータトラフィック測定部２４とから構成されている。
【００２５】
管理プロトコルエージェント２１は、インタネット網１００内を、アクセスポイント管理サーバ４との間で暗号化通信路１０２を構築して安全な通信を実現する。暗号化方式としては、ＴＲ−０６９プロトコルのトランスポートレイヤのセキュリティを確保するＴＬＳ（Ｔｒａｎｓｐｏｒｔ  Ｌａｙｅｒ  Ｓｅｃｕｒｉｔｙ）を用いてパケットの暗号化及び改竄検出を行う。
【００２６】
アクセスポイント管理サーバ４の管理プロトコルマネージャ４１は、この暗号化通信路１０２を用いて管理プロトコルエージェント２１に対し、ＴＲ−０６９の実装であるＳｅｔＰａｒａｍｅｔｅｒＶａｌｕｅｓメソッドによりデータベース部２２への情報格納、ＧｅｔＰａｒａｍｅｔｅｒＶａｌｕｅｓメソッドによりデータベース部２２からの情報取得を行う。また、管理プロトコルエージェント２１から管理プロトコルマネージャ４１に対しては、Ｉｎｆｏｒｍメソッドにより特定イベントの発生を通知する。
【００２７】
データベース部２２は、アクセスポイント管理サーバ４から指定されたオフロードに関する設定値、トラフィック測定部２４が測定したパケットデータトラフィックに関する情報を保持する。トラフィック測定部２４は、測定したフェムトセルアクセスポイント２のパケットデータトラフィック統計量を定期的にデータベース部２２へ記録する。
【００２８】
オフロードマネージャ２３は、インタネット網１００を、セキュリティゲートウェイ３との間で構築する暗号化通信路１０３を利用し、フェムトセルゲートウェイ３及びＣＮ６を通じて既存のモバイルネットワークを経由する通信方式と、直接ｗｅｂサーバ７とパケットデータをやりとりするオフロード通信方式とのいずれを実施するかを制御する。
【００２９】
図２は本発明の実施の形態によるフェムトセルアクセスポイント２内のオフロードマネージャ２３の構成例を示すブロック図である。図２において、フェムトセルアクセスポイント２は、携帯端末１とやり取りする無線信号の変調復調を行うベースバンド部２５を備えている。
【００３０】
また、オフロードマネージャ２３は、無線アプリケーションメッセージ処理部２３１と、コアネットワーク機能部２３２と、Ｉｕアプリケーションメッセージ機能部２３３と、ユーザプレーンデータ変換部２３４とを備えている。
【００３１】
無線アプリケーションメッセージ処理部２３１は、携帯端末１との制御ブレーンメッセージを認識して処理する。コアネットワーク機能部２３２は、パケットデータオフロードを実施する際に代替的にコアネットワーク処理を実施する。
【００３２】
Ｉｕアプリケーションメッセージ機能部２３３は、パケットデータオフロードを実施せずセキュリティゲートウェイ３及びフェムトセルゲートウェイ５を経由して既存のモバイルネットワークとの通信を制御する。
【００３３】
ユーザプレーンデータ変換部２３４は、ユーザプレーンメッセージとして受け取ったパケットデータの宛先を、データオフロードする場合に直接ｗｅｂサーバ７宛のパケットに書き換える。
【００３４】
ここで、トラフィック測定部２４は、オフロードの実施有無にかかわらずフェムトセルアクセスポイント２が発生させるユーザプレーンデータのＵＬ（Ｕｐ  Ｌｉｎｋ）トラフィック量及びＤＬ（Ｄｏｗｎ  Ｌｉｎｋ）トラフィック量を測定し、定期的にその測定値をデータベース部２２へ反映する。
【００３５】
図３は本発明の実施の形態によるフェムトセルアクセスポイント２内の管理プロトコルエージェント２１の構成例を示すブロック図である。図３において、管理プロトコルエージェント２１は、データ設定部２１１と、データ収集部２１２と、イベント監視部２１３とを備えている。
【００３６】
データ設定部２１１は、アクセスポイント管理サーバ４からのデータ設定要求であるＳｅｔＰａｒａｍｅｔｅｒＶａｌｕｅｓメソッドを受けた際にその指定値をデータベース部２２に反映する。
【００３７】
データ収集部２１２は、アクセスポイント管理サーバ４からデータ送信要求であるＧｅｔＰａｒａｍｔｅｒＶａｌｕｅｓメソッドを受けた際に必要な値をデータベース部２２より収集して送信する。
【００３８】
イベント監視部２１３は、定期的にデータベース部２２を監視し、トラフィック閾値超過といった特定のイベントが発生した際にそのイベント情報をアクセスポイント管理サーバ４に送信する。
【００３９】
以上、本実施の形態における構成例について述べたが、図１の携帯端末１とフェムトセルアクセスポイント２との間の無線通信１０１、及び既存のフェムトセル通信方式として知られているフェムトセルアクセスポイント２とセキュリティゲートウェイ５との間の暗号化通信路１０３の方式、フェムトセルアクセスポイント２とフェムトセルゲートウェイ３、ＣＮ６との間の通信については、当業者にとってよく知られており、また本発明とは直接関係しないので、その詳細な構成の説明は省略する。
【００４０】
図４は本発明の実施の形態によるフェムトセル通信ネットワークシステムの動作例を示すシーケンスチャートであり、図５は本発明の実施の形態によるフェムトセル通信ネットワークシステムの動作例を示すシーケンスチャートであり、図６は本発明の実施の形態によるフェムトセルアクセスポイント２内のデータベース部２２の構成例を示す図である。
【００４１】
図６（ａ）は、データベース部２２の携帯端末テーブルの構成例を示し、携帯端末テーブルは、「ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）」、「割り当てＩＰ」、「オフロード可否」からなる。
【００４２】
図６（ｂ）は、データベース部２２のフェムトセルアクセスポイントテーブルは、「日付」、「ＵＬパケットトラフィック」、「ＵＬトラフィックオフロード閾値」、「ＤＬパケットトラフィック」、「ＤＬトラフィックオフロード閾値」からなる。
【００４３】
次に、図４及び図６を参照して本発明の実施の形態によるフェムトセル通信ネットワークシステムにおけるパケットデータオフロードの動作について説明する。
【００４４】
オフロードマネージャ２３の無線アプリケーションメッセージ処理部２３１は、携帯端末１からの制御プレーン信号がフェムトセルアクセスポイント２に与えられると、その信号タイプを判別し、パケットデータ通信の開始要求を示すＲＲＣ（Ｒａｄｉｏ  Ｒｅｓｏｕｒｃｅ  Ｃｏｎｔｒｏｌ）：ＵＰＬＩＮＫ  ＤＩＲＥＣＴ  ＴＲＡＮＳＦＥＲ（ＡＣＴＩＶＡＴＥ  ＰＤＰ  ＣＯＮＴＥＸＴ  ＲＥＱＵＥＳＴ）メッセージである場合、次の手順を実施する（図４の手順ａ１）。
【００４５】
無線アプリケーションメッセージ処理部２３１は、パケットデータ通信の開始要求を受けると、まずデータベース部２２の携帯端末テーブル［図６（ａ）参照］を参照して要求元の携帯端末１のオフロード可否をチェックする。このオフロード可否については、予め可否のいずれかが設定されているものとする。
【００４６】
続いて、無線アプリケーションメッセージ処理部２３１は、フェムトセルアクセスポイントテーブル［図６（ｂ）参照］を参照し、現在のＵＬパケットトラフィック及びＤＬパケットトラフィックをチェックする。これらの値は一定期間のパケットデータトラフィック積算値を示している（図４手順ａ２）。
【００４７】
ここで、携帯端末テーブルのオフロード可否が“否”を示す値、あるいはＵＬパケットトラフィック積算値及びＤＬパケットトラフィック積算値のいずれかがトラフィックオフロード閾値を超過していれば、無線アプリケーションメッセージ処理部２３１は、既存のフェムトセル通信ネットワークを利用した通信を行うために、Ｉｕアプリケーションメッセージ機能部２３３へ受信制御プレーン信号を転送し、セキュリティゲートウェイ３及びフェムトセルゲートウェイ５との通信を行う。
【００４８】
オフロード可否が“可”を示す値であり、かつＵＬパケットトラフィック積算値及びＤＬパケットトラフィック積算値のいずれもがトラフィックオフロード閾値を超過していなければ、無線アプリケーションメッセージ処理部２３１は、受信制御プレーン信号をコアネットワーク機能部２３２へ転送し、以降の手順を行う（図４手順ａ３）。
【００４９】
コアネットワーク機能部２３２は、パケットデータ通信の要求元の携帯端末１に対して、一時的なＩＰアドレスの割り当てを実施する。このＩＰアドレスは、携帯端末１とフェムトセルアクセスポイント２との間でのみ使用されるものであり、インタネット網１００等の外部ネットワークに送出されるものではない。コアネットワーク機能部２３２は、この割り当てたＩＰアドレスをデータベース部２２に保持する（図４手順ａ４）。
【００５０】
コアネットワーク機能部２３２は、割り当てたＩＰアドレスを設定したＲＲＣ：ＤＯＷＮＬＩＮＫ  ＤＩＲＥＣＴ  ＴＲＡＮＳＦＥＲ（ＡＣＴＩＶＡＴＥ  ＰＤＰ  ＣＯＮＴＥＸＴ  ＡＣＣＥＰＴ）を要求元の携帯端末１に対して返送する（図４手順ａ５）。
【００５１】
携帯端末１とコアネットワーク機能部２３２との間では、無線アクセスベアラを確立し、データ通信コネクションを確立する（図４手順ａ６）。無線アクセスベアラを確立した携帯端末１は、パケットデータを含んだユーザプレーン信号をフェムトセルアクセスポイント２に送信する（図４手順ａ７）。
【００５２】
ユーザプレーンデータ変換部２３４は、ユーザプレーン信号を受信すると、パケットデータに設定された送信元ＩＰアドレスをチェックする（図４手順ａ８）。ユーザプレーンデータ変換部２３４は、設定されたＩＰアドレスが手順ａ４で割り当てた一時的なＩＰアドレスであれば、フェムトセルアクセスポイント２に設定されたＩＰアドレスでパケットデータの送信元ＩＰアドレスを置換する。このフェムトセルアクセスポイント２に設定されたＩＰアドレスは、インタネット網１００等の外部ネットワークで有効なものとする（図４手順ａ９）。
【００５３】
次に、図５及び図６を参照して本発明の実施の形態によるフェムトセル通信ネットワークシステムにおけるフェムトセルアクセスポイント２とアクセスポイント管理サーバ４との間の通信動作について説明する。
【００５４】
フェムトセルアクセスポイント２は、アクセスポイント管理サーバ４からのＴＲ−０６９：ＳｅｔＰａｒａｍｅｔｅｒＶａｌｕｅｓメソッドを受けると、管理プロトコルエージェント２１のデータ設定部２１１にてその内容を処理し、その処理結果のデータベース部２２への反映を行う。ここでは、携帯端末テーブル［図６（ａ）参照］の各携帯端末のオフロード可否に関する指定、フェムトセルアクセスポイントテーブル［図６（ｂ）参照］のＵＬトラフィックオフロード閾値及びＤＬトラフィックオフロード閾値を指定する（図５手順ｂ１）。
【００５５】
フェムトセルアクセスポイント２は、アクセスポイント管理サーバ４からのＴＲ−０６９：ＧｅｔＰａｒａｍｅｔｅｒＶａｌｕｅｓメソッドを受けると、データ収集部２１２にてその内容を処理し、データベース部２２への問い合わせを行う。ここでは、携帯端末テーブルの各携帯端末のＩＭＳＩ情報、オフロード可否に関する情報、フェムトセルアクセスポイントテーブルのＵＬパケットトラフィック及びＤＬパケットトラフィックのいずれかが収集に指定され、その内容をアクセスポイント管理サーバ４に返送する（図５手順ｂ２）。
【００５６】
イベント監視部２１３は、フェムトセルアクセスポイント２にてオフロードが実施された際（図４手順ａ３）、あるいは定期的なチェックによりＵＬパケットトラフィック及びＤＬパケットトラフィックがオフロード閾値を超過した際、ＴＲ−０６９：Ｉｎｆｏｒｍメソッドによりアクセスポイント管理サーバ４にイベントの発生を通知する（図５手順ｂ３）。
【００５７】
このように、本実施の形態では、アクセスポイント管理サーバ４がオフロード制御閾値を指定することができるため、柔軟なオフロード機能制御が可能となる。
【００５８】
また、本実施の形態では、アクセスポイント管理サーバ４が携帯端末１毎にオフロード可否を指定することができるため、特定の携帯端末のみオフロードを許可することが可能となる。
【００５９】
さらに、本実施の形態では、フェムトセルアクセスポイント２がオフロード発生時にアクセスポイント管理サーバ４に通知を行うため、通信オペレータがオフロードの発生状況を把握することができる。
【００６０】
本発明の他の実施の形態としては、その基本的構成が上記の通りであるが、管理プロトコルについて置き換える例が考えられる。
【００６１】
すなわち、本発明の他の実施の形態では、図５におけるＳｅｔＰａｒａｍｅｔｅｒＶａｌｕｅｓメソッドをＳＮＭＰ（Ｓｉｍｐｌｅ  Ｎｅｔｗｏｒｋ  Ｍａｎａｇｅｍｅｎｔ  Ｐｒｏｔｏｃｏｌ）：Ｓｅｔ−Ｒｅｑｕｅｓｔコマンドに、ＧｅｔＰａｒａｍｅｔｅｒＶａｌｕｅｓメソッドをＳＮＭＰ：Ｇｅｔ−Ｒｅｑｕｅｓｔコマンドに、ＩｎｆｏｒｍメソッドをＳＮＭＰトラップとし、管理プロトコルマネージャ４１及び管理プロトコルエージェント２１がＳＮＭＰプロトコルを用いる。
【００６２】
また、この場合、図１における管理プロトコルエージェント２１と管理プロトコルマネージャ４１との間の暗号化通信路１０２は、ＳＮＭＰプロトコルが有する暗号化機能を利用する。
【００６３】
このように、本実施の形態では、アクセスポイント管理サーバ４とフェムトセルアクセスポイント２との間での管理プロトコルとして、オフロード制御閾値の設定あるいはイベント通知にＳＮＭＰプロトコルを用いることもできる。
【符号の説明】
【００６４】
１  携帯端末
２  フェムトセルアクセスポイント
３  セキュリティゲートウェイ
４  アクセスポイント管理サーバ
５  フェムトセルゲートウェイ
６  ＣＮ
７  ｗｅｂサーバ
２１  管理プロトコルエージェント
２２  データベース部
２３  オフロードマネージャ
２４  パケットデータトラフィック測定部
２５  ベースバンド部
４１  管理プロトコルマネージャ
１００  インタネット網
１０１  無線通信インタフェース
１０２，１０３  暗号化通信路
２１１  データ設定部
２１２  データ収集部
２１３  イベント監視部
２３１  無線アプリケーションメッセージ処理部
２３２  コアネットワーク機能部
２３３  Ｉｕアプリケーションメッセージ機能部
２３４  ユーザプレーンデータ変換部
【図１】
0005541037.tif 000002
【図２】
0005541037.tif 000003
【図３】
0005541037.tif 000004
【図４】
0005541037.tif 000005
【図５】
0005541037.tif 000006
【図６】
0005541037.tif 000007